(57)【要約】      （修正有）【課題】排泄物の貯留容器を確実に保持して軽便に運搬し、安全に昇降させて貯留容器を傾動させ、周囲を汚染することなく内容物を廃棄できる運搬車を提供する。【解決手段】本運搬車は、ポータブルトイレ又はポータブルトイレの付帯装置で用いられる排泄物の貯留容器７を運搬するための運搬車１であって、車輪２ａ、２ｂを有する運搬車本体３と、貯留容器の底部７ｂを保持する底部保持具４１、及び貯留容器の上部を把持する把持装置４２を有する容器保持体４と、を備える。そして、上記容器保持体４は、運搬車本体３に対して昇降可能で且つ前後方向Ａに傾動可能に設けられている。【選択図】図１
2016222125.tif 000002
【特許請求の範囲】
【請求項１】
ポータブルトイレ又はポータブルトイレの付帯装置で用いられる排泄物の貯留容器を運搬するための運搬車であって、
車輪を有する運搬車本体と、
前記貯留容器の底部を保持する底部保持具、及び前記貯留容器の上部を把持する把持装置を有する容器保持体と、を備え、
前記容器保持体は、前記運搬車本体に対して昇降可能で且つ前後方向に傾動可能に設けられていることを特徴とする運搬車。
【請求項２】
前記運搬車本体は、前記貯留容器内の内容物を廃棄する便器を囲み得るような平面略Ｕ字状の下部フレームを備え、複数の前記車輪のうちの１個以上の車輪は、自在キャスターを構成する請求項１記載の運搬車。
【請求項３】
前記車輪の回転を制動するブレーキ装置と、前記車輪の回転を規制するロック機構と、を備える請求項１又は２に記載の運搬車。
【請求項４】
前記把持装置は、前記貯留容器の上部に設けられた吊り下げ用の取っ手を把持する請求項１乃至３のいずれか一項に記載の運搬車。
【請求項５】
前記把持装置は、前記容器保持体を前方に傾動させたときに、前記容器保持体に保持された前記貯留容器の重心より上方となる部分を把持する請求項１乃至４のいずれか一項に記載の運搬車。
【請求項６】
前記運搬車本体に対して昇降可能に設けられる台座を備え、前記底部保持具は、その前側が前記台座の前側で車幅方向の水平軸回りに回動可能で且つ前記台座上に載置可能に設けられ、前記把持装置は、前記底部保持具の後側から立ち上がる支持枠の上部に設けられている請求項１乃至５のいずれか一項に記載の運搬車。
【請求項７】
前記底部保持具は、前記運搬車本体の前後方向に伸縮可能又は折り畳み可能である請求項１乃至６のいずれか一項に記載の運搬車。
【請求項８】
前記容器保持体の前方への傾動を規制する安全装置を備える請求項１乃至７のいずれか一項に記載の運搬車。
【請求項９】
前記容器保持体は、その底部に車輪を有するとともに、前記運搬車本体に対して着脱可能に設けられている請求項１乃至８のいずれか一項に記載の運搬車。
【発明の詳細な説明】
【技術分野】
【０００１】
本発明は、運搬車に関し、さらに詳しくは、ポータブルトイレ又はその付帯装置において排泄物を一時貯留する貯留容器を運搬するための運搬車に関する。
【背景技術】
【０００２】
一般的なポータブルトイレには、取り出し可能なバケツ様の一時貯留容器が備えられており、使用者の排便や洗浄水等は上記一時貯留容器に溜まり、排便の都度、あるいは数回分の排便を溜めたものを上記一時貯留容器と共に取り出して、既設のトイレ便器や排水口の近傍まで運搬し、上記一時貯留容器内の排泄物を廃棄することが行われている。
【０００３】
近年、核家族化と社会の高齢化により、老人が老人の介護を行うことが常態化するにつれ、排便等の排泄物が入った一時貯留容器を運搬し、排泄物を廃棄する行為を老人が行うことも多くなっている。その結果、重い一時貯留容器を運搬するために腰などを痛めたり、室内で排泄物をこぼしたりする事故も多くなっている。特に一時貯留容器内の排泄物を便器に廃棄する行為は、運動能力の低下した老人には難しく、排泄物を適切に便器内に廃棄することに失敗しがちであり、排泄物を周囲にこぼしたり、はねかけさせたりして悪臭や不衛生状態を引き起こすという問題が起きている。
【０００４】
特許文献１には、排便等の排泄物が入った排泄物貯留槽に取っ手やキャスター車輪を備えた排泄物ポットが開示されており、取っ手部分を支点として便器に向かって排泄物貯留槽全体を傾けて排泄物を便器内に放出することが開示されているが、２輪のキャスター車輪に頼って排泄物貯留槽を運搬する方法は不安定であり、便器に対して、伸縮可能な運搬ステーを支えとして大半径の円周状に排泄物貯留槽を転動させて排泄物を放出する方法は、貯留槽の重量に対して相当の力と絶妙のタイミングを必要とするものであって、到底上記の問題を解決できるものではなかった。
【０００５】
また、特許文献２には、ポータブルトイレの一時貯留容器が便器本体に付属しておらず、便器本体とは離れた位置に設置した収納容器に複数回の排泄物を収納し、接続配管を外して収納容器ごと持ち運べることが開示されているが、複数回分の排泄物の重量に対して、収納容器を軽便に運搬する方法や、周りを汚染することなく容器から排泄物を廃棄する方法については記載も示唆もなかった。このように便器本体とは離れた位置に設置される収納容器についても、上記一時貯留容器と全く同じ問題が生じる。その他にも、災害用仮設トイレや幼児用おまるなど、下水配管に直接接続されておらず、一時貯留容器を用いるトイレには多かれ少なかれ同様の課題が存在し、一時貯留容器を取り扱うのが老人でなく、健康な若者であっても同様な問題は起きうる。
【先行技術文献】
【特許文献】
【０００６】
【特許文献１】特開２００１-３３３８７０号公報
【特許文献２】特開２００１-１０７４４１号公報
【発明の概要】
【発明が解決しようとする課題】
【０００７】
本発明の課題は、ポータブルトイレに付属する排泄物の一時貯留容器やポータブルトイレの便器本体から離れた位置で排泄物を一時収納する容器などの、排泄物を含む液体の入った貯留容器を確実に保持して軽便に運搬し、廃棄の際には安全に昇降させて貯留容器を傾動させ、周囲を汚染することなく内容物を廃棄することのできる運搬車を実現することである。
【課題を解決するための手段】
【０００８】
上記問題を解決するために、請求項１に記載の発明は、ポータブルトイレ又はポータブルトイレの付帯装置で用いられる排泄物の貯留容器を運搬するための運搬車であって、車輪を有する運搬車本体と、前記貯留容器の底部を保持する底部保持具、及び前記貯留容器の上部を把持する把持装置を有する容器保持体と、を備え、前記容器保持体は、前記運搬車本体に対して昇降可能で且つ前後方向に傾動可能に設けられていることを要旨とする。
請求項２に記載の発明は、請求項１に記載の発明において、前記運搬車本体は、前記貯留容器内の内容物を廃棄する便器を囲み得るような平面略Ｕ字状の下部フレームを備え、複数の前記車輪のうちの１個以上の車輪は、自在キャスターを構成することを要旨とする。
請求項３に記載の発明は、請求項１又は２に記載の発明において、前記車輪の回転を制動するブレーキ装置と、前記車輪の回転を規制するロック機構と、を備えることを要旨とする。
請求項４に記載の発明は、請求項１乃至３のいずれか一項に記載の発明において、前記把持装置は、前記貯留容器の上部に設けられた吊り下げ用の取っ手を把持することを要旨とする。
請求項５に記載の発明は、請求項１乃至４のいずれか一項に記載の発明において、前記把持装置は、前記容器保持体を前方に傾動させたときに、前記容器保持体に保持された前記貯留容器の重心より上方となる部分を把持することを要旨とする。
請求項６に記載の発明は、請求項１乃至５のいずれか一項に記載の発明において、前記運搬車本体に対して昇降可能に設けられる台座を備え、前記底部保持具は、その前側が前記台座の前側で車幅方向の水平軸回りに回動可能で且つ前記台座上に載置可能に設けられ、前記把持装置は、前記底部保持具の後側から立ち上がる支持枠の上部に設けられていることを要旨とする。
請求項７に記載の発明は、請求項１乃至６のいずれか一項に記載の発明において、前記底部保持具は、前記運搬車本体の前後方向に伸縮可能又は折り畳み可能であることを要旨とする。
請求項８に記載の発明は、請求項１乃至７のいずれか一項に記載の発明において、前記容器保持体の前方への傾動を規制する安全装置を備えることを要旨とする。
請求項９に記載の発明は、請求項１乃至８のいずれか一項に記載の発明において、前記容器保持体は、その底部に車輪を有するとともに、前記運搬車本体に対して着脱可能に設けられていることを要旨とする。
【発明の効果】
【０００９】
本発明の運搬車によると、車輪を有する運搬車本体と、貯留容器の底部を保持する底部保持具、及び貯留容器の上部を把持する把持装置を有する容器保持体と、を備え、容器保持体は、運搬車本体に対して昇降可能で且つ前後方向に傾動可能に設けられている。これにより、ポータブルトイレに付属する排泄物の一時貯留容器やポータブルトイレの便器本体から離れた位置で排泄物を一時収納する容器などの、排泄物を含む液体の入った貯留容器を、底部保持具及び把持装置により容器保持体に確実に保持して、既設のトイレ便器や排水口の近傍まで軽便に運搬することができる。さらに、貯留容器を保持した容器保持体を安全に昇降させて傾動させることで、周囲を汚染することなく貯留容器内の内容物を廃棄することができる。
また、前記運搬車本体が、便器を囲み得るような平面略Ｕ字状の下部フレームを備え、複数の前記車輪のうちの１個以上の車輪が、自在キャスターを構成する場合は、自在キャスターにより、下部フレームが便器を囲むように運搬車を便器に容易に近づけることができる。そして、下部フレームが便器を囲む状態で容器保持体を傾動させることで、貯留容器内の内容物を便器内に容易且つ確実に廃棄できる。
また、前記車輪の回転を制動するブレーキ装置と、前記車輪の回転を規制するロック機構と、を備える場合は、ブレーキ装置により運搬車の運搬速度を調節することで更に軽便に運搬できる。さらに、ロック機構により運搬車を停止状態に位置決めとすることで、貯留容器内の内容物を更に容易且つ確実に廃棄できる。
また、前記把持装置が、前記貯留容器の上部に設けられた吊り下げ用の取っ手を把持する場合は、貯留容器に取っ手とは別に把持装置で把持するための強度を備えた構造部品を追加する必要がない。
また、前記把持装置が、前記容器保持体を前方に傾動させたときに、前記容器保持体に保持された前記貯留容器の重心より上方となる部分を把持する場合は、底部保持具に貯留容器の底部を固定しなくても、容器保持体を傾けたときに貯留容器のひっくり返る動きを防ぐことができる。
また、前記運搬車本体に対して昇降可能に設けられる台座を備え、前記底部保持具が、その前側が前記台座の前側で車幅方向の水平軸回りに回動可能で且つ前記台座上に載置可能に設けられ、前記把持装置が、前記底部保持具の後側から立ち上がる支持枠の上部に設けられている場合は、容器保持体を更に安全に昇降させて傾動させることができる。
また、前記底部保持具が、前記運搬車本体の前後方向に伸縮可能又は折り畳み可能である場合は、底部保持具を前後方向に伸長又は展開することで、貯留容器を容器保持体に容易に保持できる。さらに、底部保持具を前後方向に短縮又は折り畳むことで、貯留容器を安全に運搬して貯留容器内の内容物を容易且つ確実に廃棄できる。
また、前記容器保持体の前方への傾動を規制する安全装置を備える場合は、安全装置により、貯留容器内の内容物を廃棄するとき以外の容器保持体の前方への傾動が規制される。よって、容器保持体を更に安全に運搬して昇降させることができる。
さらに、前記容器保持体が、その底部に車輪を有するとともに、前記運搬車本体に対して着脱可能に設けられている場合は、運搬車本体から容器保持体を取り外すことで、容器保持体のみで貯留容器を運搬できる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る運搬車の斜め前方から見た斜視図である。
【図２】上記運搬車の斜め後方から見た斜視図である。
【図３】上記運搬車の側面図である。
【図４】図３のＩＶ矢視図である。
【図５】図３のＶ矢視図である。
【図６】図４のＶＩ−ＶＩ線断面である。
【図７】実施例１に係る容器保持体を説明するための説明図である。
【図８】上記容器保持体を説明するための説明図である。
【図９】実施例１に係る把持装置を説明するための説明図である。
【図１０】上記把持装置を説明するための説明図である。
【図１１】実施例１に係る自在キャスターを説明するための説明図である。
【図１２】実施例１に係るブレーキ装置を説明するための説明図である。
【図１３】上記ブレーキ装置を説明するための説明図であり、（ａ）はブレーキレバーが操作されていない状態を示し、（ｂ）はブレーキレバーが上方に引かれてブレーキ操作された状態を示し、（ｃ）はブレーキレバーが下方に押されてロック操作された状態を示す。
【図１４】上記運搬車の作用説明図であり、（ａ）は容器保持体が下端位置に降下した状態を示し、（ｂ）は容器保持体が上端位置に上昇した状態を示し、（ｃ）は容器保持体が上端位置で前方に傾動された状態を示す。
【図１５】実施例１に係る貯留容器の使用形態を説明するための説明図であり、（ａ）はポータブルトイレ内に配置される形態を示し、（ｂ）は負圧吸引式ポータブルトイレの付帯装置内に配置される形態を示す。
【図１６】実施例２に係る運搬車を説明するための説明図であり、（ａ）は底部保持具が伸長した状態を示し、（ｂ）は底部保持具が短縮した状態を示す。
【図１７】実施例３に係る運搬車を説明するための説明図であり、（ａ）は底部保持具が展開した状態を示し、（ｂ）は底部保持具が折り畳まれた状態を示す。
【図１８】実施例４に係る運搬車を説明するための説明図である。
【図１９】実施例４に係る安全装置を説明するための説明図である。
【図２０】実施例５に係る運搬車を説明するための説明図である。
【図２１】他の形態に係る運搬車を説明するための説明図である。
【図２２】更に他の形態に係る運搬車を説明するための説明図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
＜運搬車＞
本実施形態に係る運搬車は、ポータブルトイレ（６１）又はポータブルトイレ（６２）の付帯装置（６３）で用いられる排泄物の貯留容器（７）を運搬するための運搬車（１、１Ａ〜１Ｄ）であって、車輪（２ａ、２ｂ）を有する運搬車本体（３）と、貯留容器（７）の底部（７ｂ）を保持する底部保持具（４１、４１Ａ、４１Ｂ）、及び貯留容器（７）の上部を把持する把持装置（４２、４２’）を有する容器保持体（４）と、を備える（例えば、図１、図２及び図１６〜図２２等参照）。そして、上記容器保持体（４）は、運搬車本体（３）に対して昇降可能で且つ前後方向（Ａ）に傾動可能に設けられている（例えば、図１４等参照）。
【００１３】
本実施形態に係る運搬車としては、例えば、上記運搬車本体（３）は、貯留容器（７）内の内容物を廃棄する便器（Ｔ）を囲み得るような平面略Ｕ字状の下部フレーム（１３）を備え、複数の車輪（２ａ、２ｂ）のうちの１個以上の車輪（２ａ）は、自在キャスター（２０）を構成する形態（例えば、図５及び図１１等参照）を挙げることができる。この場合、後輪（２ｂ）が自在キャスター（２０）を構成することが好ましい（例えば、図１６〜図１８及び図２０〜２２等参照）。比較的狭い便器周りで運搬車をぴったり便器に近接させやすいためである。なお、上記「自在キャスター」とは、車輪の向きを自在に変えることができるキャスターを意図する。
【００１４】
本実施形態に係る運搬車としては、例えば、上記車輪（２ｂ）の回転を制動するブレーキ装置（５）と、車輪（２ｂ）の回転を規制するロック機構と、を備える形態（例えば、図１２及び図１３等参照）を挙げることができる。
【００１５】
本実施形態に係る運搬車としては、例えば、上記把持装置（４２）は、貯留容器（７）の上部に設けられた吊り下げ用の取っ手（７ａ）を把持する形態（例えば、図９及び図１０等参照）を挙げることができる。
【００１６】
本実施形態に係る運搬車としては、例えば、上記把持装置（４２、４２’）は、容器保持体（４）を前方に傾動させたときに、容器保持体（４）に保持された貯留容器（７）の重心より上方となる部分を把持する形態（例えば、図１４（ｃ）等参照）を挙げることができる。
【００１７】
本実施形態に係る運搬車としては、例えば、上記運搬車本体（３）に対して昇降可能に設けられる台座（３０）を備え、底部保持具（４１、４１Ａ、４１Ｂ）は、その前側が台座（３０）の前側で車幅方向（Ｂ）の水平軸回りに回動可能で且つ台座（３０）上に載置可能に設けられ、把持装置（４２、４２’）は、底部保持具（４１、４１Ａ、４１Ｂ）の後側から立ち上がる支持枠（４６）の上部に設けられている形態（例えば、図６〜図８等参照）を挙げることができる。
【００１８】
本実施形態に係る運搬車としては、例えば、上記底部保持具（４１Ａ、４１Ｂ）は、運搬車本体（３）の前後方向（Ａ）に伸縮可能又は折り畳み可能である形態（例えば、図１６及び図１７等参照）を挙げることができる。
【００１９】
本実施形態に係る運搬車としては、例えば、上記容器保持体（４）の前方への傾動を規制する安全装置（７６）を備える形態（例えば、図１８及び図１９等参照）を挙げることができる。この場合、例えば、上記安全装置（７６）は、容器保持体（４）に係合して傾動を規制する規制部材（７８）を備え、規制部材（７８）は、便器（Ｔ）の前縁部分に一部（７８ａ）が接触することで容器保持体（４）の傾動規制を解除することができる。これにより、容器保持体の傾動規制を容易に解除できる。
【００２０】
本実施形態に係る運搬車としては、例えば、上記容器保持体（４）は、その底部に車輪（８０）を有するとともに、運搬車本体（３）に対して着脱可能に設けられている形態（例えば、図２０等参照）を挙げることができる。
【００２１】
なお、上記実施形態で記載した各構成の括弧内の符号は、後述する実施例に記載の具体的構成との対応関係を示すものである。
【実施例】
【００２２】
以下、図面を用いて実施例により本発明を具体的に説明する。なお、本実施例では、本発明に係る「貯留容器」として、上部に吊り下げ用の取っ手７ａを備え、上方開口を蓋８で閉塞可能とされたバケツ様の貯留容器７を例示する（図１参照）。
【００２３】
上記貯留容器７は、例えば、ポータブルトイレ６１の便器本体６１ａ内にセットされたり（図１５（ａ）参照）、負圧吸引式ポータブルトイレ６２の便器本体６２ａから離れて配置される付帯装置６３内にセットされたり（図１５（ｂ）参照）して使用される。この付帯装置６３は、筐体６４と、筐体６４内に収容されるタンク６５及び真空ポンプ６６等を備えてなる。このタンク６５は、便器本体６２ａと管６７で接続されている。そして、真空ポンプ６６の作動によりタンク６５内に負圧が作用されることで、ポータブルトイレ６２の便器本体６２ａ内の排泄物等がタンク６５内に吸引回収される。さらに、タンク６５の下部扉６５ａを開放することで、タンク６５の下方にセットされた貯留容器７内にタンク６５内の回収物が貯留される。
【００２４】
＜実施例１＞
（１）運搬車の構成
本実施例に係る運搬車１は、図１〜図４に示すように、車輪２ａ、２ｂを有する運搬車本体３と、貯留容器７を保持する容器保持体４と、を備えている。この運搬車１は、後述するブレーキ装置５を備えている。
【００２５】
上記運搬車本体３は、左右一対のベース部材１０ａ、１０ｂと、これら各ベース部材１０ａ、１０ｂを連結する連結部材１１、１２と、を備えている（図２参照）。これら各ベース部材１０ａ、１０ｂは、後側が下方に傾斜するように前後方向Ａに延びている。また、連結部材１１は、前後方向Ａを開放した箱状に形成されている。この連結部材１１は、各ベース部材１０ａ、１０ｂの後端側を連結している。また、連結部材１２は、板材を略Ｕ字状に折り曲げてなされている。この連結部材１２は、各ベース部材１０ａ、１０ｂの前後方向Ａの略中央部を連結している。そして、各ベース部材１０ａ、１０ｂ及び連結部材１１、１２は、貯留容器７内の内容物を廃棄する便器Ｔを囲み得るような平面略Ｕ字状の下部フレーム１３を構成している（図５参照）。
【００２６】
上記各ベース部材１０ａ、１０ｂの前後方向Ａの中間部には、左右一対のハンドルポスト１５ａ、１５ｂのそれぞれが上方に向かって立ち上げられている。これら各ハンドルポスト１５ａ、１５ｂの上端側には、使用者が握るためのハンドル１６が設けられている。また、各ハンドルポスト１５ａ、１５ｂの上下方向の略中央部は、連結部材１７で連結されている。この連結部材１７は、板材を略Ｕ字状に折り曲げてなされている。なお、上記ハンドルポスト１５ａ、１５ｂは、公知の高さ調節機構１８（図１参照）を備え、使用者の体格等に応じて高さ調整可能とされている。
【００２７】
上記各ベース部材１０ａ、１０ｂの前側には、自在キャスター（「キャスター自在車」とも称される。）２０が設けられている。この自在キャスター２０は、車輪２ａ（即ち、前輪２ａ）と、車輪２ａを水平軸回りに軸支する屈曲状の支持軸２１と、支持軸２１を垂直軸回りに軸支し且つ各ベース部材１０ａ、１０ｂに取り付けられる支持部２２と、を備えている（図１１参照）。よって、自在キャスター２０を構成する車輪２ａは、自在に向きを変えることができる。また、各ベース部材１０ａ、１０ｂの後側には、固定キャスター（「キャスター固定車」とも称される。）２３が設けられている。この固定キャスター２３は、垂直軸回りに回転不能で自在に向きを変えることができない車輪２ｂ（即ち、後輪２ｂ）が設けられている。
【００２８】
上記連結部材１２の車幅方向Ｂの中央部には、図６〜図８に示すように、電動式アクチュエータである送りネジ機構２５の下部が取り付けられている。この送りネジ機構２５の上部は、連結部材１７の車幅方向Ｂの中央部に取り付けられている。また、送りネジ機構２５は、モーター２６（図８参照）により正逆回転される送りネジ２７と、送りネジ２７に螺合されるナットであるスライド体２８と、スライド体２８の送りネジ２７の軸方向に沿うスライド移動を案内するガイド部２９と、を備えている。この送りネジ２７及びガイド部２９（即ち、送りネジ機構２５）は、上部に向かうに連れて後方（即ち、運搬車１を手押しする使用者の手元方向）となるように垂直方向に対して所定の傾斜角度θ１（例えば、２０度）で傾斜している（図６参照）。言い替えると、送りネジ２７及びガイド部２９は、その上部が下部より後方に位置するように垂直方向に対して所定の傾斜角度θ１で傾斜している。また、スライド体２８には、台座３０の後端部に設けられた連結部３１が取り付けられている。この台座３０は、平面略Ｕ字状の外枠３２の左右の辺を連結部材３３で連結してなされている（図７参照）。
【００２９】
上記送りネジ機構２５を作動させるモーター２６は、運搬車本体３の下部に配置されている（図４参照）。さらに、コントローラー３５及び蓄電池３６は、連結部材１１に取り付けられており、運搬車本体３の後方下部に配置されている（図２参照）。このコントローラー３５は、使用者のスイッチ操作等に応じてモーター２６の駆動を制御する。さらに、蓄電池３６は、モーター２６及びコントローラー３５に蓄電した電気を供給する。
【００３０】
上記容器保持体４は、図６〜図８に示すように、貯留容器７の底部７ｂを保持する底部保持具４１と、貯留容器７の上部を把持する把持装置４２と、を備えている。この底部保持具４１は、板状に形成されている。また、底部保持具４１は、その前側が台座３０の前側で車幅方向Ｂの水平軸回りに回動可能に設けられている。よって、容器保持体４は、運搬車本体３に対して前後方向Ａに傾動可能に設けられている。また、底部保持具４１は、台座３０上に略水平状態で載置可能とされている。具体的に、底部保持具４１は、台座３０の外枠３２より僅かに小さな外形を有しており、台座３０の連結部材３３上に載置可能とされている。そして、台座３０及び台座３０上に載置される容器保持体４は、上記送りネジ機構２５の作動によって傾斜した送りネジ２７及びガイド部２９に沿って昇降される。さらに、容器保持体４が台座３０上に載置された状態では、容器保持体４に保持された貯留容器７は略直立状態となる。
【００３１】
上記底部保持具４１は、図８に示すように、貯留容器７の底部７ｂが載置される載置面４４と、この載置面４４上に設けられる位置決め部４５と、を備えている。この位置決め部４５は、載置面４４上に載置された貯留容器７の底部７ｂを前後方向Ａ及び車幅方向Ｂに位置決めする。また、位置決め部４５は、貯留容器７の底部７ｂを左右から囲むように載置面４４上の車幅方向Ｂの両側に配置されている。
【００３２】
上記把持装置４２は、図７及び図８に示すように、底部保持具４１の後側から立ち上がる支持枠４６の上部に設けられている。この支持枠４６は、平面略Ｕ字状の外枠４７の左右の各辺を連結部材４８で連結してなされている。また、支持枠４６の上部（具体的に、外枠４７の上辺及び／又は連結部材４８）は、容器保持体４を傾動させる際に使用者が掴む取っ手として機能する。
【００３３】
上記把持装置４２は、図９及び図１０に示すように、容器保持体４に保持された貯留容器７の取っ手７ａを把持する把持具４３を備えている。この把持具４３は、上向きの開口４９ａが形成された縦断面略Ｃ字状のフック部４９と、フック部４９に連なり支持枠４６の上部に取り付けられる取付部５０と、を備えている。さらに、把持具４３は、樹脂、金属、ゴム等の弾性変形可能な材料からなされている。そして、フック部４９の開口４９ａ側に取っ手７ａを押圧することで、フック部４９が弾性変形して開口４９ａを介してフック部４９内に取っ手７ａが挿入されて把持される。さらに、把持装置４２は、容器保持体４を水平面に対して鈍角である傾斜角度θ２（例えば、１１０度）で前方に傾動させたときに、容器保持体４に保持された貯留容器７の重心より上方となる部分を把持する（図１４（ｃ）参照）。
【００３４】
上記ブレーキ装置５は、図１に示すように、ハンドル１６に取り付けられた取付部５１に一端側が軸支されるブレーキレバー５２と、このブレーキレバー５２にワイヤー５３で連繋され且つ各ベース部材１０ａ、１０ｂの後側に軸支される支持部材５４と、を備えている。この支持部材５４には、図１２に示すように、車輪２ｂ（即ち、後輪２ｂ）に圧接可能なブレーキシュー５５が設けられている。さらに、支持部材５４は、コイルバネ５６によりブレーキシュー５５が車輪２ｂから離れる方向に常に付勢されている。
【００３５】
上記ブレーキレバー５２が操作されていない状態（図１３（ａ）参照）では、ブレーキシュー５５が車輪２ｂに圧接せず、車輪２ｂがスムーズに回転することができる。また、ブレーキレバー５２が引き上げ操作された状態（図１３（ｂ）参照）では、ブレーキシュー５２が車輪２ｂに圧接して、ブレーキレバー５２の引き上げ量に応じて、車輪２ｂの回転速度が低下されたり、車輪２ｂの回転が停止されたりする。さらに、ブレーキレバー５２が押し下げ操作された状態（図１３（ｃ）参照）では、ブレーキレバー５２が押下げ位置に位置決めされるとともに、ブレーキシュー５５が車輪２ｂに強く圧接して、車輪２ｂの回転が規制される。よって、ブレーキ装置５は、車輪２ｂの回転を制動するブレーキ機能を発揮するとともに、車輪２ｂの回転を規制するロック機構の機能を発揮する。
【００３６】
（２）運搬車の作用
次に、上記構成の運搬車１の作用について説明する。なお、本実施例では、ポータブルトイレ６１（図１５（ａ）参照）で使用される貯留容器７を便器Ｔの近傍まで運搬して貯留容器７の内容物を廃棄する形態について説明する。ただし、ポータブルトイレ６２の付帯装置６３（図１５（ｂ）参照）で使用される貯留容器７を便器Ｔの近傍まで運搬して貯留容器７の内容物を廃棄する形態であっても略同じ作用を奏する。
【００３７】
先ず、ポータブルトイレ６１に附属してセットされた貯留容器７内に排泄物等が貯留されると、運搬車１をポータブルトイレ６１の近傍まで移動させる。このとき、容器保持体４は、送りネジ機構２５により下端位置Ｐ１まで降下されるか又は予め降下されている。この下端位置Ｐ１まで降下された容器保持体４は、運搬車本体３のより前方に近づけられている。次に、ブレーキ装置５のロック機構により後輪２ｂをロックした状態で、ポータブルトイレ６１から貯留容器７を取り出して、その貯留容器７の底部７ｂを底部保持具４１上に載せて位置決め保持させる。さらに、貯留容器７の取っ手７ａを把持装置４２に把持させて、容器保持体４に対して貯留容器７を保持させる（図１４（ａ）参照）。
【００３８】
次いで、後輪２ｂのロックを解除して、容器保持体４が下端位置Ｐ１のままで、運搬車１を既設の便器Ｔの近傍まで移動させる。その後、送りネジ機構２５の作動により容器保持体４を上端位置Ｐ２まで上昇させる。このとき、容器保持体４は、下端位置Ｐ１に比べて運搬車本体３のより後方に近づけられる。次に、下部フレーム１３が便器Ｔを囲むように運搬車１を便器Ｔに更に近づける（図１４（ｂ）参照）。次いで、後輪２ｂをロックして、支持枠４６の上部を掴んで容器保持体４とともに貯留容器７を前方に傾動させて、貯留容器７内の内容物を便器Ｔ内に廃棄する（図１４（ｃ）参照）。
【００３９】
その後、貯留容器７の内容物が略完全に便器Ｔ内に廃棄されたら、容器保持体４を後方に傾動させて台座３０上に載置させる。次に、後輪３ｂのロックを解除して、運搬車１をポータブルトイレ６１の近傍まで移動させる。次いで、容器保持体４から空の貯留容器７を取り外してポータブルトイレ６１に再セットする。その後、運搬車１を適当な保管場所まで移動させて保管する。なお、空の貯留容器７をポータブルトイレ６１に再セットする際には、下端位置Ｐ１まで降下された容器保持体４から空の貯留容器７を取り外すようにしてもよい。
【００４０】
（３）実施例の効果
本実施例の運搬車によると、車輪２ａ、２ｂを有する運搬車本体３と、貯留容器７の底部７ｂを保持する底部保持具４１、及び貯留容器７の上部を把持する把持装置４２を有する容器保持体４と、を備え、容器保持体４は、運搬車本体３に対して昇降可能で且つ前後方向Ａに傾動可能に設けられている。これにより、ポータブルトイレ６１に付属する排泄物の一時貯留容器７やポータブルトイレ６２の便器本体６２ａから離れた位置で排泄物を一時収納する容器７などの、排泄物を含む液体の入った貯留容器７を、底部保持具４１及び把持装置４２により容器保持体４に確実に保持して、既設のトイレ便器Ｔまで軽便に運搬することができる。さらに、貯留容器７を保持した容器保持体４を安全に昇降させて傾動させることで、周囲を汚染することなく貯留容器７内の内容物を廃棄することができる。
【００４１】
また、本実施例では、運搬車本体３は、便器Ｔを囲み得るような平面略Ｕ字状の下部フレーム１３を備え、複数の車輪２ａ、２ｂのうちの１個以上の車輪２ａは、自在キャスター２０を構成する。そのため、自在キャスター２０により、下部フレーム１３が便器Ｔを囲むように運搬車１を便器Ｔに容易に近づけることができる。そして、下部フレーム１３が便器Ｔを囲む状態で容器保持体４を傾動させることで、貯留容器７内の内容物を便器Ｔ内に容易且つ確実に廃棄できる。
【００４２】
また、本実施例では、車輪２ｂの回転を制動するブレーキ装置５と、車輪２ｂの回転を規制するロック機構と、を備える。これにより、ブレーキ装置５により運搬車１の運搬速度を調節することで更に軽便に運搬できる。さらに、ロック機構により運搬車１を停止状態に位置決めすることで、貯留容器７内の内容物を更に容易且つ確実に廃棄できる。
【００４３】
また、本実施例では、把持装置４２は、貯留容器７の上部に設けられた吊り下げ用の取っ手７ａを把持する。これにより、貯留容器７に取っ手７ａとは別に把持装置４２で把持するための強度を備えた構造部品を追加する必要がない。
【００４４】
また、本実施例では、把持装置４２は、容器保持体４を前方に傾動させたときに、容器保持体４に保持された貯留容器７の重心より上方となる部分を把持する。これにより、底部保持具４に貯留容器７の底部７ｂを固定しなくても、容器保持体４を傾けたときに貯留容器７のひっくり返る動きを防ぐことができる。
【００４５】
さらに、本実施例では、運搬車本体３に対して昇降可能に設けられる台座３０を備え、底部保持具４１は、その前側が台座３０の前側で車幅方向Ｂの水平軸回りに回動可能で且つ台座３０上に載置可能に設けられ、把持装置４２は、底部保持具４１の後側から立ち上がる支持枠４６の上部に設けられている。これにより、容器保持体４を更に安全に昇降させて傾動させることができる。
【００４６】
＜実施例２＞
次に、本実施例２に係る運搬車について説明する。なお、本実施例２に係る運搬車において、上記実施例１に係る運搬車１と略同じ構成部位には同じ符号を付けて詳説を省略する。
【００４７】
（１）運搬車の構成
本実施例に係る運搬車１Ａは、図１６に示すように、車輪２ａ、２ｂを有する運搬車本体３と、貯留容器７を保持する容器保持体４と、を備えている。この運搬車１Ａは、運搬車本体３に対して昇降可能に設けられる台座３０を備えている。また、容器保持体４は、貯留容器７の底部７ｂを保持する底部保持具４１Ａと、貯留容器７の上部を把持する把持装置４２（図示省略）と、を備えている。また、上記後輪２ｂは、自在キャスター２０（図１１参照）を構成している。さらに、上記前輪２ａは、固定キャスター２３を構成している。この前輪２ａは、ブレーキ装置５（図示省略）により制動される。
【００４８】
上記底部保持具４１Ａの前側は、運搬車本体３の前後方向Ａに伸縮可能とされている。具体的に、底部保持具４１Ａの前側には、前後方向Ａにスライド可能にスライド板７１が設けられている。このスライド板７１は、底部保持具４１Ａの前側を伸長する伸長状態（図１６（ａ）参照）と底部保持具４１Ａの前側を短縮する短縮状態（図１６（ｂ）参照）との間でスライド可能とされている。
【００４９】
（２）運搬車の作用及び効果
本実施例に係る運搬車１Ａによると、上記実施例１に係る運搬車１と略同様の作用及び効果を奏することに加えて、底部保持具４１Ａは、運搬車本体３の前後方向Ａに伸縮可能であるので、底部保持具４１を前後方向Ａに伸長することで、貯留容器７を容器保持体４に容易に保持できる。例えば、上述の負圧吸引式ポータブルトイレ６２の付帯装置６３において、筐体６４内に運搬車１Ａが進入できない場合であっても、筐体６４の直前に運搬車１を位置させて、底部保持具４１Ａのスライド板７１を前方にスライドさせて筐体６４内に進入させれば、筐体６４内の貯留容器７をスライド板７１上を滑らせて底部保持具４１上に容易に移載して保持できる。さらに、底部保持具４１Ａを前後方向Ａに短縮することで、貯留容器７を安全に運搬して貯留容器７内の内容物を容易且つ確実に廃棄できる。さらに、本実施例では、後輪２ｂが自在キャスター２０を構成するので、比較的狭い便器Ｔ周りで運搬車１をぴったり便器Ｔに近接させやすい。
【００５０】
なお、上記実施例では、スライド可能なスライド板７１を備える底部保持具４１Ａの伸縮機構を例示したが、これに限定されず、例えば、テレスコピック機構やパンタグラフ機構等を備える底部保持具４１Ａの伸縮機構を採用してもよい。さらに、台座３０側に伸縮機構を設けることで、底部保持具４１Ａを前後方向に伸縮可能としてもよい。
【００５１】
＜実施例３＞
次に、本実施例３に係る運搬車について説明する。なお、本実施例３に係る運搬車において、上記実施例１に係る運搬車１と略同じ構成部位には同じ符号を付けて詳説を省略する。
【００５２】
（１）運搬車の構成
本実施例に係る運搬車１Ｂは、図１７に示すように、車輪２ａ、２ｂを有する運搬車本体３と、貯留容器７を保持する容器保持体４と、を備えている。この運搬車１Ｂは、運搬車本体３に対して昇降可能に設けられる台座３０を備えている。また、容器保持体４は、貯留容器７の底部７ｂを保持する底部保持具４１Ｂと、貯留容器７の上部を把持する把持装置４２（図示省略）と、を備えている。なお、本実施例においても、上記実施例２と略同様にして、後輪２ｂが自在キャスター２０を構成し、前輪２ａが固定キャスター２３を構成している。
【００５３】
上記底部保持具４１Ｂの前側は、運搬車本体３の前後方向Ａに折り畳み可能とされている。具体的に、底部保持具４１Ｂの前側には、水平軸回りに回動可能に折り畳み板７３が設けられている。この折り畳み板７３は、底部保持具４１Ｂの前側が展開される展開状態（図１７（ａ）参照）と底部保持具４１Ｂの前側が折り畳まれる折り畳み状態（図１７（ｂ）参照）との間で回転される。さらに、折り畳み板７３には、展開状態で先端が床面に接地して折り畳み板７３を支持する支持部７４が設けられている。この支持部７４は、折り畳み板７３が折り畳み状態で貯留容器７に当接して貯留容器７を位置決めする。
【００５４】
（２）運搬車の作用及び効果
本実施例に係る運搬車１Ｂによると、上記実施例１に係る運搬車１と略同様の作用及び効果を奏することに加えて、底部保持具４１Ｂは、運搬車本体３の前後方向Ａに折り畳み可能であるので、底部保持具４１Ｂを前後方向Ａに展開することで、貯留容器７を容器保持体４に容易に保持できる。例えば、上述の負圧吸引式ポータブルトイレ６２の付帯装置６３において、筐体６４内に運搬車１Ｂが進入できない場合であっても、筐体６４の直前に運搬車１Ｂを位置させて、底部保持具４１Ｂの折り畳み板７３を展開して筐体６４の内部に進入させれば、筐体６４内の貯留容器７を折り畳み板７３上を滑らせて底部保持具４１Ｂ上に容易に移載して保持できる。さらに、底部保持具４１Ｂを前後方向Ａに折り畳むことで、貯留容器７を安全に運搬して貯留容器７内の内容物を容易且つ確実に廃棄できる。
【００５５】
さらに、本実施例では、折り畳み板７３には、展開状態で先端が床面に接地して折り畳み板７３を支持する支持部７４が設けられているので、支持部７４の支持により貯留容器７を容器保持体４に容易且つ確実に保持できる。さらに、本実施例では、支持部７４は、折り畳み板７３の折り畳み状態で底部保持具４１Ｂ上の貯留容器７に当接して貯留容器７を位置決めするので、支持部６４に位置決め機能を持たせることができる。なお、上記台座３０側に折り畳み板７３を設けることで、底部保持具４１Ｂを前後方向に折り畳み可能としてもよい。
【００５６】
＜実施例４＞
次に、本実施例４に係る運搬車について説明する。なお、本実施例４に係る運搬車において、上記実施例１に係る運搬車１と略同じ構成部位には同じ符号を付けて詳説を省略する。
【００５７】
（１）運搬車の構成
本実施例に係る運搬車１Ｃは、図１８に示すように、車輪２ａ、２ｂを有する運搬車本体３と、貯留容器７を保持する容器保持体４と、を備えている。この運搬車１Ｃは、運搬車本体３に対して昇降可能に設けられる台座３０を備えている。また、容器保持体４は、貯留容器７の底部７ｂを保持する底部保持具４１と、貯留容器７の上部を把持する把持装置４２（図示省略）と、を備えている。さらに、運搬車１Ｃは、容器保持体４の前方への傾動を規制する安全装置７６を備えている。なお、本実施例においても、上記実施例２と略同様にして、後輪２ｂが自在キャスター２０を構成し、前輪２ａが固定キャスター２３を構成している。
【００５８】
上記安全装置７６は、図１９に示すように、台座３０の下部に設けられる支持部７７と、支持部７７に前後方向Ａに移動自在に支持される棒状の規制部材７８と、規制部材７８を前方に向かって付勢するバネ等からなる付勢体７９と、を備えている。この規制部材７８には、その前端側に便器Ｔの前縁部分に当接する当接部７８ａが設けられている。さらに、規制部材７８には、その後端側に容器保持体４に係合して容器保持体４の傾動を規制する規制部７８ｂが設けられている。そして、当接部７８ａが便器Ｔに当接していない状態では、付勢体７９の付勢力により規制部材７８が前方に移動され、規制部７８ｂが容器保持体４に係合して容器保持体４の傾動が規制される（図１８参照）。一方、当接部７８ａが便器Ｔに当接した状態では、付勢体７９の付勢力に抗して規制部材７８が後方に移動され、規制部７８ｂが容器保持体４から外れて容器保持体４の傾動規制が解除される。
【００５９】
（２）運搬車の作用及び効果
本実施例に係る運搬車１Ｃによると、上記実施例１に係る運搬車１と略同様の作用及び効果を奏することに加えて、容器保持体４の前方への傾動を規制する安全装置７６を備えるので、安全装置７６により、貯留容器７内の内容物を廃棄するとき以外の容器保持体４の前方への傾動が規制される。よって、容器保持体４をより安全に運搬して昇降させることができる。
【００６０】
さらに、本実施例では、安全装置７６は、容器保持体４に係合して傾動を規制する規制部材７８を備え、規制部材７８は、便器Ｔの前縁部分に一部７８ａが接触することで容器保持体４の傾動規制を解除する。これにより、容器保持体４の傾動規制を容易に解除できる。
【００６１】
なお、上記実施例では、当接部７８ａの便器Ｔへの当接の有無に応じて容器保持体４の傾動規制及びその解除を切り換える安全装置７６を例示したが、これに限定されず、例えば、手動又は電動により容器保持体４の傾動規制及びその解除が切り換えられる安全装置を採用してもよい。
【００６２】
＜実施例５＞
次に、本実施例５に係る運搬車について説明する。なお、本実施例５に係る運搬車において、上記実施例１に係る運搬車１と略同じ構成部位には同じ符号を付けて詳説を省略する。
【００６３】
（１）運搬車の構成
本実施例に係る運搬車１Ｄは、図２０に示すように、車輪２ａ、２ｂを有する運搬車本体３と、貯留容器７を保持する容器保持体４と、を備えている。この運搬車１Ｄは、運搬車本体３に対して昇降可能に設けられる台座３０を備えている。また、容器保持体４は、貯留容器７の底部７ｂを保持する底部保持具４１と、貯留容器７の上部を把持する把持装置４２と、を備えている。また、容器保持体４は、その底部に車輪８０を有している。さらに、容器保持体４は、運搬車本体３に対して着脱可能に設けられている。なお、本実施例においても、上記実施例２と略同様にして、後輪２ｂが自在キャスター２０を構成し、前輪２ａが固定キャスター２３を構成している。
【００６４】
（２）運搬車の作用及び効果
本実施例に係る運搬車１Ｄによると、上記実施例１に係る運搬車１と略同様の作用及び効果を奏することに加えて、容器保持体４は、その底部に車輪８０を有するとともに、運搬車本体３に対して着脱可能に設けられているので、運搬車本体３から容器保持体４を取り外すことで、容器保持体４のみで貯留容器７を運搬できる。例えば、上述の負圧吸引式ポータブルトイレ６２の付帯装置６３において、筐体６４内に運搬車１Ｄが進入できない場合であっても、運搬車本体３から取り外された容器保持体４を車輪８０で走行移動させて筐体６４内に進入させれば、容器保持体４に保持された貯留容器７をタンク６５の下方に容易にセットできる。さらに、貯留容器７内にタンク６５から排泄物等が貯留された際には、容器保持体４を車輪８０で走行移動させて筐体６４内から退出させ、運搬車本体３に取り付ければ運搬車１Ｄで貯留容器７を容易に運搬できる。
【００６５】
なお、上記実施例では、車輪８０付きの容器保持体４を台座３０に対して着脱可能に設けるようにしたが、これに限定されず、例えば、容器保持体４を載置した車輪付きの台座３０を運搬車本体３に対して着脱可能に設けるようにしてもよい。
【００６６】
尚、本発明においては、上記実施例に限られず、目的、用途に応じて本発明の範囲内で種々変更した実施例とすることができる。すなわち、上記実施例では、垂直方向に対して後方に傾斜した傾斜方向に沿って容器保持体４を昇降させるようにしたが、これに限定されず、例えば、図２１に示すように、垂直方向Ｖに沿って容器保持体４を昇降させるようにしてもよい。
【００６７】
また、上記実施例では、前輪２ａ及び後輪２ｂのうちの一方の車輪が自在キャスター２０を構成し、他方の車輪が固定キャスター２３を構成する形態を例示したが、これに限定されず、例えば、前輪２ａ及び後輪２ｂの両車輪が自在キャスター２０又は固定キャスター２３を構成するようにしてもよい。さらに、上記キャスターとしては、例えば、自在キャスターと固定キャスターとを切り換え可能な切換キャスターを採用してもよい。さらに、上記車輪としては、例えば、単輪状、双輪状、コロ状、球状等の車輪を挙げることができる。また、上記実施例では、車輪２ｂの回転を規制するロック機構の機能を発揮するブレーキ装置５を例示したが、これに限定されず、ブレーキ装置５とは別に車輪２ｂの回転を規制するロック機構を車輪２ｂ側に備えるようにしてもよい。
【００６８】
また、上記実施例では、電動式アクチュエータ（具体的に、送りネジ機構２５）により容器保持体４を昇降させるようにしたが、これに限定されず、例えば、手動により容器保持体４を昇降させて所望の高さ位置に位置保持させるようにしてもよい。具体的に、送りネジ２７に操作ハンドルを連結し、操作ハンドルを回転操作することで容器保持体４を昇降させるようにしてもよい。
【００６９】
また、上記実施例では、送りネジ２７による容器保持体４の昇降機構を例示したが、これに限定されず、例えば、ボールネジ、ラックピニオン、チェーン、リニアモーター等による容器保持体の昇降機構を採用してもよい。さらに、ワイヤー、ベルト、ロープ等の牽引手段による容器保持体の昇降機構を採用してもよい。
【００７０】
また、上記実施例では、位置決め部４５により貯留容器７の底部７ｂを保持する底部保持具４１を例示したが、これに限定されず、例えば、手動又は電動による可動部の可動により貯留容器７の底部７ｂを保持する底部保持具としてもよい。また、上記実施例では、把持具４３により貯留容器７の上部を把持する把持装置４２を例示したが、これに限定されず、例えば、手動又は電動による可動部の可動により貯留容器７の上部を把持する把持装置としてもよい。さらに、上記実施例では、手動により容器保持体４を傾動させるようにしたが、これに限定されず、例えば、電動により容器保持体４を傾動させるようにしてもよい。
【００７１】
また、上記実施例では、貯留容器７の取っ手７ａを把持する把持装置４２を例示したが、これに限定されず、例えば、図２２に示すように、貯留容器７の上部内壁８１に係止して貯留容器７の上部を把持する係止部８２を備える把持装置４２’としてもよい。この場合であっても、把持装置４２’は、容器保持体４を前方に傾動させたときに、容器保持体４に保持された貯留容器７の重心より上方となる部分を把持する。
【００７２】
また、上記実施例では、負圧吸引により便器本体６２ａから離れた位置で排泄物を回収する負圧吸引式ポータブルトイレ６２を例示したが、これに限定されず、例えば、圧送により便器本体から離れた位置で排泄物を回収する圧送式ポータブルトイレとしてもよい。さらに、ポータブルトイレの用途としては、例えば、介護用、看護用、災害用（例えば、仮設トイレ等）、育児用（例えば、幼児用おまる等）などを挙げることができる。
【００７３】
さらに、上記実施例では、貯留容器７内の内容物を既設の洋式便器Ｔに廃棄する形態を例示したが、これに限定されず、例えば、貯留容器７内の内容物を排水口や和式便器に廃棄するようにしてもよい。この場合、例えば、容器保持体４が降下した状態のままで容器保持体４を傾動させて貯留容器７内の内容物を廃棄してもよい。
【産業上の利用可能性】
【００７４】
本発明は、ポータブルトイレ又はその付帯装置で用いられる排泄物の貯留容器を運搬する技術として広く利用される。
【符号の説明】
【００７５】
１，１Ａ〜１Ｄ；運搬車、２ａ，２ｂ；車輪、３；運搬車本体、４；容器保持体、５；ブレーキ装置、７；貯留容器、７ａ；取っ手、７ｂ；底部、１３；下部フレーム、２０；自在キャスター、３０；台座、４１，４１Ａ，４１Ｂ；底部保持具、４２，４２’；把持装置、４６；支持枠、６１，６２；ポータブルトイレ、６３；付帯装置、７６；安全装置、８０；車輪、Ａ；前後方向、Ｂ；車幅方向、Ｔ；便器。
【図１】
2016222125.tif 000003
【図２】
2016222125.tif 000004
【図３】
2016222125.tif 000005
【図４】
2016222125.tif 000006
【図５】
2016222125.tif 000007
【図６】
2016222125.tif 000008
【図７】
2016222125.tif 000009
【図８】
2016222125.tif 000010
【図９】
2016222125.tif 000011
【図１０】
2016222125.tif 000012
【図１１】
2016222125.tif 000013
【図１２】
2016222125.tif 000014
【図１３】
2016222125.tif 000015
【図１４】
2016222125.tif 000016
【図１５】
2016222125.tif 000017
【図１６】
2016222125.tif 000018
【図１７】
2016222125.tif 000019
【図１８】
2016222125.tif 000020
【図１９】
2016222125.tif 000021
【図２０】
2016222125.tif 000022
【図２１】
2016222125.tif 000023
【図２２】
2016222125.tif 000024